(57)【要約】【課題】コントラストが高く、かつ高精細な映像に対応可能な反射型スクリーンを提供する。【解決手段】レンチキュラーレンズシート部２０とその背面に設けられたベース部５０とを備える。レンチキュラーレンズシート部２０は、配列された複数のレンズ部３１を有する。ベース部５０は、レンズ部３１に対応して配列された反射部５１と、反射部５１の間に配設された非反射部５２とを有する。レンチキュラーレンズシート部２０のレンズ部間の溝部であるレンズ谷部３２には光を吸収する光吸収部４０が設けられている。さらに、レンズ部３１のレンズ表面と光吸収部の表面とが連続して全体でレンズの輪郭を構成していることが好ましい。【選択図】図２
2009169007.tif 000002
【特許請求の範囲】
【請求項１】
投射光源から発射される投射光を反射して映像を映す反射型スクリーンであって、
前記投射光源からの投射光が入射する側の面に配列された複数のレンズ部を有するレンチキュラーレンズシート部と、
前記レンチキュラーレンズシート部の前記レンズ部が設けられた面とは反対側の面に設けられるとともに前記レンズ部に対応して配列された反射部および前記反射部の間に配設された非反射部を有するベース部と、を備え、
前記レンチキュラーレンズシート部の前記レンズ部間の溝部であるレンズ谷部には光を吸収する光吸収部が設けられている
ことを特徴とする反射型スクリーン。
【請求項２】
前記光吸収部は凹状の断面形状である
ことを特徴とする請求項１に記載の反射型スクリーン。
【請求項３】
前記レンズ部のレンズ表面と前記光吸収部の表面とが連続して全体でレンズの輪郭を構成している
ことを特徴とする請求項１または請求項２に記載の反射型スクリーン。
【請求項４】
前記光吸収部の厚み方向の長さは、前記レンズ部の配列ピッチの５〜５０％の範囲で適宜選択される
ことを特徴とする請求項１から請求項３のいずれかに記載の反射型スクリーン。
【請求項５】
前記レンチキュラーレンズシート部において、前記光吸収部を設ける前記レンズ谷部はあらかじめ楔形に削られた形に成型され、
前記レンズ谷部に前記光吸収部を構成するインクが充填されることにより前記光吸収部が設けられている
ことを特徴とする請求項１から請求項４のいずれかに記載の反射型スクリーン。
【発明の詳細な説明】
【技術分野】
【０００１】
本発明は、反射型スクリーンに関する。
【背景技術】
【０００２】
液晶、ＤＭＤ（Digital Micro mirror Device）を映像源としたプロジェクタが広く普及している。特に、スクリーン前面に映像光を投射するフロントプロジェクタは、容易に画像投影寸法を対角６０〜１００インチなどと大型にすることができるという長所があるため広く使用されている。ただし、このフロントプロジェクタでは、明室で観視する際に外光がスクリーン面で反射して映像のコントラストが劣るという欠点がある。
【０００３】
この点を改善するためのスクリーンの一例が、特許文献１に開示されている。
特許文献１に開示のスクリーンでは、レンチキュラーレンズシートの背面側に反射層と光吸収層が設けられている。そして、反射層によって映像光を反射し、光吸収層によって外光を吸収することにより、コントラストを向上させている。
【０００４】
ところで近年、映像を高精細化する要求が高まっている。例えば対角１００インチの画像投影寸法で垂直方向に１０８０ピクセル、縦横比９：１６の映像では、垂直方向１ピッチの画素の大きさは約１ｍｍとなる。
特許文献１のようなスクリーンではレンチキュラーレンズのピッチと画素ピッチとが干渉して起こるモアレ障害を回避する必要がある。
モアレ障害を回避する方法としては、（１）両者のピッチ比が略整数倍となることを避ける方法と、（２）一方のピッチを他方に対し例えば１／４以下に小さくする方法、とが代表的である。
【０００５】
ここで、フロントプロジェクタでは一般に画像投影寸法を変化できるものが多いことを考慮すると、前記（１）の方法では対応できない。
従って前記（２）の方法を採用することになるが、レンチキュラーレンズのピッチを画素ピッチより大きくすると映像の精細さを欠く事になるため、レンチキュラーレンズのピッチを画素ピッチの１／４以下とする必要がある。すると、例えば、高精細で対角１００インチ程度の画像投影寸法でレンチキュラーレンズのピッチを０．３〜０．２ｍｍ以下とする必要がある。
【０００６】
【特許文献１】特開平４−２１４５４７号公報
【発明の開示】
【発明が解決しようとする課題】
【０００７】
しかしながら、このように微細なピッチでかつ対角６０インチ以上などという大面積のレンチキュラーレンズシートは、成形金型の製作精度及び転写成形の精密さにおいて問題がある。一般に、レンチキュラーレンズの製造はレンズ断面形状の略逆形状をなす成形型を使用して行われる。前記成形型は、略レンズ断面の形状を一部に持つ切削バイトにより、各レンズに対応した形状を順次切削して製造するが（図７）、この時、金型凹凸形状の凸部（＝レンズ間の溝部に対応）にバリが生じやすい問題がある（図８）。
以下、レンズ間の溝部をレンズ谷部と称する事がある。
【０００８】
またレンズ谷部の形状はたとえば視野半値角〜視野１／１０値角付近の輝度視野角特性に影響するが、スクリーンの視野角特性は一般に釣鐘状であり、このような斜め角度付近では角度により輝度が大きく変化するため、レンズ谷部の形状のムラが斜め方向から観察した場合の明るさ均一性、外観品位を大きく劣化させる。
なお、レンズ頂部の形状のムラは正面方向から観察した場合の明るさ均一性、外観品位に影響するが、スクリーンの視野角特性は一般に釣鐘状であることから、目立ちにくい。
【０００９】
以上のようにレンズ谷部の形状はムラが生じやすく、またそのムラが明るさ均一性、外観品位に大きく影響する。
上記問題はピッチに関わらず生じるが、微細なピッチになるほど面積当たりのレンズ谷部の数が増すため、問題が顕著になる。
このように、レンチキュラーレンズを設けてコントラストを向上させると、高精細な映像に対応できなくなるという問題が生じる。
【００１０】
本発明の目的は、コントラストが高く、かつ高精細な映像に対応可能な反射型スクリーンを提供することにある。
【課題を解決するための手段】
【００１１】
本発明の反射型スクリーンは、投射光源から発射される投射光を反射して映像を映す反射型スクリーンであって、前記投射光源からの投射光が入射する側の面に配列された複数のレンズ部を有するレンチキュラーレンズシート部と、前記レンチキュラーレンズシート部の前記レンズ部が設けられた面とは反対側の面に設けられるとともに前記レンズ部に対応して配列された反射部および前記反射部の間に配設された非反射部を有するベース部と、を備え、前記レンチキュラーレンズシート部の前記レンズ部間の溝部であるレンズ谷部には光を吸収する光吸収部が設けられていることを特徴とする。
【００１２】
このような構成において、略正面から入射する映像光はレンズ部を通して集光され、レンズ部に対応した反射部に入射する。そして、反射部に入射した光は、反射部で反射されたのち、レンズ部を通して正面の観察者側へ向けて拡散射出される。一方、レンズ部に斜め方向から入射する外光はレンズ部を通過して非反射部に入射する。そして、非反射部にて遮光や吸光されることにより、外光は観察者側に射出されない。その結果、コントラストに優れたスクリーンとなる。さらに、本発明では、形状ムラが生じやすいレンズ谷部に光吸収部を設けている。したがって、レンズ谷部に対応した視野角付近での輝度そのものを低く抑えることができる。その結果、明るさムラが目立たず、外観品位に優れたスクリーンを提供することができる。そして、レンズ谷部の形状ムラが問題とならないため、レンチキュラーレンズのレンズピッチを精細にして、非常に高精細な映像にも対応する反射型スクリーンを提供できる。
【００１３】
なお、光吸収部の吸光度については特に限定されるものではないが、可視領域の波長に対して、０．０５から１程度であることが好ましく、さらには、０．１から０．７程度であることがより好ましい。
【００１４】
本発明では、前記光吸収部は凹状の断面形状であることが好ましい。
このような構成によれば、光吸収部を備えていても、レンズ部間の谷の部分が凹状となるので、レンズ部のレンズ効果を大きく損なうことがなく、コントラストおよび外観品位に優れたものとすることができる。
【００１５】
本発明では、前記レンズ部のレンズ表面と前記光吸収部の表面とが連続して全体でレンズの輪郭を構成していることが好ましい。
このように全体としてレンズの輪郭を構成することにより、光吸収部を備えていてもレンズ本来の効果を損なうことがない。
【００１６】
本発明では、前記光吸収部の厚み方向の長さは、前記レンズ部の配列ピッチの５〜５０％の範囲で適宜選択されることが好ましい。
【００１７】
光吸収部が所定の深さを有することにより光吸収部での吸収効果を高めて、レンズ谷部にできる形状ムラによる望ましくない光の射出を減じることができる。
その結果、外観品位をより向上させることができる。また、光吸収部が所定の深さを有することにより斜め方向から入射する外光のうち光吸収部を通過する割合が高くなる。その結果、外光の吸収率を高め、観察面側に射出される外光量を減じることができるので、コントラストを向上させることができる。
【００１８】
本発明では、前記レンチキュラーレンズシート部において、前記光吸収部を設ける前記レンズ谷部はあらかじめ楔形に削られた形に成型され、前記レンズ谷部に前記光吸収部を構成するインクが充填されることにより前記光吸収部が設けられていることが好ましい。
【００１９】
このような構成によれば、楔形のレンズ谷部にインクを充填することにより光吸収部を設けることができる。そして、あらかじめ充填する領域を確保しておくので、光吸収部の幅を一定に規定することができる。たとえば、光吸収部を十分に狭い幅にすることにより、光吸収部に入射する投射光（映像光）を少なくして映像の明るさの減衰程度を極力小さくすることができる。
一方、レンズ谷部を楔形にして深くすることにより、シートの厚み方向において光吸収部を深く設けることができる。すると、斜め方向から入射してくる外光については光吸収部を通過する割合が高くなり、光吸収部における外光の吸収率が高まる。その結果、コントラストが高いスクリーンとすることができる。
また、あらかじめ削られた形に設けられたレンズ谷部に光吸収部を充填することにより、その表面をレンズ部の表面に連続させて全体で円または楕円形状とすることが容易である。
【００２０】
なお、光吸収部の屈折率はレンズシート本体部の屈折率よりも低いことが好ましい。
これとは逆に、光吸収部の屈折率がレンズシート本体部の屈折率よりも高い場合、光吸収部に入射した光は光吸収部とレンズシート本体部との境界において全反射しやすくなる。すると、この境界面の形状ムラによる乱れた反射が観察者から目立ってしまい、外観品位が劣化しやすくなる。
この点、本発明によれば、外観品位も高く、コントラストに優れたスクリーンとできる。
【発明の効果】
【００２１】
本発明のスクリーンによれば、形状のムラが生じやすいレンズ谷部に光吸収部を有しているので、微細なピッチのレンチキュラーレンズを有していても、明るさムラ、特に斜め方向からの明るさムラが目立ちにくく、外観品位に優れた反射型スクリーンを製造することができる。
また本発明のスクリーンは、スクリーン正面方向から照射された投射光（映像光）は大きな減衰が無く観視側へ反射できる一方、上方から入射する外光は比較的大きな減衰を伴って観視側へ反射するため、外光コントラストに優れる。
【発明を実施するための最良の形態】
【００２２】
以下、図を用いて本発明の反射型スクリーンに係る一実施形態について説明する。
図１は、反射型スクリーン１０の使用形態の一例を示す模式図である。
投射光源（図示省略）を有する前面投射型表示装置（フロントプロジェクタ）６０が、反射型スクリーン１０の正面に配置され、前面投射型表示装置６０から発射される映像光（投射光）が反射型スクリーン１０に投影される。そして、反射型スクリーン１０にて反射された映像光が観察者Ｍにて観察される。
【００２３】
図２は、反射型スクリーン１０の拡大断面図である。
反射型スクリーン１０は、スクリーンの表側を構成するレンチキュラーレンズシート部２０と、このレンチキュラーレンズシート部２０の背面に設けられ、複数配列された光反射部５１およびこれら光反射部５１の間に配列された非反射部５２を有するベース部５０と、を備える。
【００２４】
レンチキュラーレンズシート部２０は、おもて面に半円筒状のレンズ部３１が平行に複数本配列されたレンズシート本体部３０と、レンズシート本体部３０のレンズ谷部３２に設けられた光吸収部４０と、を備える。
【００２５】
レンズシート本体部３０におけるレンズ部３１のレンズ配列ピッチは、例えば、０．０３ｍｍ〜０．３ｍｍの範囲で適宜選択される。
レンズ配列ピッチが０．３ｍｍを超えると、投写された映像のスクリーン面における画素ピッチとレンズピッチとが干渉して生じるモアレ障害が目立つ場合がある。その一方、レンズ配列ピッチが０．０３ｍｍよりも小さいとレンズを精度よく製造することが難しくなる。また、光吸収部４０を設けるレンズ谷部３２は、あらかじめ楔形に削れた形に成型されている（図３参照）。
このようなレンズシート本体部３０は、金型を用い、熱可塑性樹脂を用いた押し出し製法や、ベースシートと紫外線硬化樹脂を用いた２Ｐ製法などにより作成される。
また、レンズシート本体部３０には成形のむらを目立ちにくくする目的などで拡散材を０．１〜１０重量％程度混入してもよい。
なお、レンズ谷部３２の楔形溝条もレンズ部３１ととともに一体成型されるように金型を形成しておいてもよく、あるいは、レンズ部３１のみを形成したのちに別行程でレンズ谷部３２を楔型に削ってもよい。
【００２６】
光吸収部４０は、レンズ３１とレンズ３１との間であるレンズ谷部３２に設けられている。光吸収部４０は、光吸収材を含んだ着色インクによって形成された層であり、この着色インクがレンズ谷部３２に充填されて光吸収部４０が形成されている。
ここで、光吸収部４０の幅はレンズピッチの１〜１５％とすることが好ましい。
光吸収部４０の幅がレンズピッチの１％よりも小さい場合、明るさムラを軽減する効果やコントラスト改善効果の点で好ましくなく、光吸収部４０の幅がレンズピッチの１５％よりも大きい場合、スクリーンが暗くなってしまって明るさの点で好ましくない。
また、光吸収部の厚み方向の長さ（深さ）は、レンズピッチの５〜５０％の範囲で適宜選択されることが好ましい。
光吸収部４０の深さがレンズピッチの５％以下である場合、レンズ谷部３２を切り欠いた効果が小さくなる恐れがある。光吸収部４０の深さがレンズピッチの５０％を超える場合、レンチキュラーレンズシート部２０の強度の点で好ましくない。
なお、レンズ谷部３２の底面３２１には平坦部や面取り部を設けることが、成形型やレンチキュラーレンズシートの強度の点で好ましい。
【００２７】
また、光吸収部４０の表面４１はレンズ部３１の表面３１１となめらかに一連につながって、表面の全体が断面視において滑らかな円弧（円または楕円の孤）を形成している。
このように全体として断面視円または楕円表面となることにより、光吸収部４０を備えていてもレンズ本来の効果を損なうことがない。
それに対して、光吸収部４０の表面が平坦だったり（図４（Ａ））、表面側に膨出したような形状（図４（Ｂ））になっていると、レンズ本来の効果が損なわれてしまうため好ましくない。
【００２８】
光吸収部４０を形成するにあたっては、光吸収性を有する添加材を含有した着色インクを前記レンズシート本体部３０のレンズ部３１および谷部３２を含めた全体に塗布し、レンズ谷部近傍以外の着色インクを掻き取り具により除去する。すると、レンズ谷部３２に光吸収部４０を備えたレンチキュラーレンズシート部２０が形成される。あるいは、低粘度の着色インクをレンズ全面に塗布し、毛細管現象によって実質レンズの谷部近傍のみに光吸収部４０を形成してもよい。
【００２９】
光吸収性を有する添加材としては、カーボン粒子や染料が例として挙げられる。また、光吸収部４０の屈折率はレンズシート本体部３０の屈折率よりも低い。このような組み合わせとしては、光吸収部４０を形成するためのインクをアクリル系樹脂またはウレタン系樹脂とし、レンズシート本体部３０はスチレン系樹脂またはポリカーボネート樹脂で形成することが例として挙げられる。
【００３０】
レンチキュラーレンズシート部２０の背面には、後述する光反射部５１および非反射部５２に対応した凹凸の溝が設けられている。レンズ部３１の略背面には凹溝条３３が設けられ、レンズ谷部３２の略背面には凸条３４が設けられている。凹溝条３３の底面は平坦に設けられている。
【００３１】
ベース部５０は、レンチキュラーレンズシート部２０のレンズ配列に対応して配列された光反射部５１と、光反射部５１の間に配設された非反射部５２と、を備える。  
ベース部５０を形成するにあたっては次のような工程が例として挙げられる。
まず、レンチキュラーレンズシート２０の背面には、あらかじめレンズ部３１に対応して配列された凹溝条３３と、レンズ谷部３２に対応して配列された凸条３４と、が設けられている。そして、前記凸条３４に光吸収材を塗布して層を形成したのち、その上からレンチキュラーレンズシート部２０の背面全体に光反射性の部材で形成されたベース本体５１１を形成する。非反射部５２としての光吸収材は、ロール印刷、スクリーン印刷によって塗布してもよい。光反射性のベース本体５１１としては、金属蒸着膜でもよく、白色顔料を含有したインクで形成した層でもよい。反射性インクを用いた場合、反射性インクが接着層を兼ねられることから、裏打ちシートを積層する場合には更に工程が簡便となって好ましい。
【００３２】
なお、光反射部５１と非反射部５２を設ける位置については、基本的にレンズ部３１の背面に対応する位置に光反射部５１を設け、レンズ谷部３２（光吸収部４０）の背面に対応する位置に非反射部５２を設ければよい。
ただし、前面投射型表示装置６０からの光束がレンズ部３１で集光されて光反射部５１に入射する構成とする必要がある。
ここで、前面投射型表示装置６０からの光は、放射状に拡散投射されるため、スクリーンの中央領域、上端側領域、下端側領域では光束がレンズに入射する角度が異なってくる。そこで、スクリーンの中央領域では、レンズ部３１の背面に対応する位置に光反射部５１を設け、レンズ谷部３２（光吸収部４０）の背面に対応する位置に非反射部５２を設ければよいが、上端側領域では、上方に向かうに従って光反射部５１がレンズ部３１に対してやや上方になるようにし、下端側領域では、下方に向かうに従って光反射部５１がレンズ部３１に対してやや下方になるようにすることが好ましい。
【００３３】
このような反射型スクリーン１０による作用について説明する。
本実施形態の反射型スクリーン１０は、レンズ谷部３２に光吸収部４０を備えている。
レンチキュラーレンズを微小なレンズピッチで形成する場合、金型にバリが発生してしまうため、レンズ谷部の形状にムラが生じやすく、明るさ均一性や外観品位を大きく劣化させてしまう。特に、斜め方向からスクリーンを観察する場合には、レンズ谷部の形状ムラが非常に大きく影響するため、その問題は大きい。
この点、本実施形態の反射型スクリーン１０では、レンズ谷部３２に光吸収部４０を設けることにより、レンズ谷部３２の形状ムラによる光束の乱れを抑止することができる。
そのため、明るさ均一性や外観品位を向上させることができる。そして、レンズ谷部３２の形状ムラが問題とならないため、レンチキュラーレンズシート部２０のレンズピッチを精細にして、非常に高精細な映像にも対応する反射型スクリーン１０を提供できるという画期的な効果を奏する。
【００３４】
次に、反射型スクリーン１０に入射する光の経路について具体的に説明する。
図５は、反射型スクリーン１０に入射する光束の経路を表した図である。同図に示すように、スクリーン正面方向から前面投射型表示装置６０により映像光Ｌ０が照射され、スクリ―ン斜め上方の天井に設置された照明から外光Ｌ１が照射されている。
反射型スクリーン１０の正面から入射する映像光Ｌ０は、レンズ部３１によって集光され、レンズ部３１の背面に位置する光反射部５１に入射する。そして、光反射部５１によって反射された光はレンズ部３１を通って拡散発射される。
なお、反射型スクリーン１０の正面から映像光Ｌ０が入射すると、光吸収部４０に入射する映像光Ｌ０もあるが、光吸収部４０はレンズ部３１に比べて幅が狭いのでここの吸収分については映像や明るさに影響を与えるほどではない。
【００３５】
一方、スクリーンに対して斜め上方から入射する外光Ｌ１は、レンズ部３１によって集光され、レンズ谷部３２の背面に位置する非反射部５２に入射する。そして、非反射部５２により外光Ｌ１が吸収され、観察側へは射出しない。その結果、明るく、コントラストに優れた映像が提供される。
【００３６】
図６は、光吸収部４０に関係する光束の経路を抜き出して詳細に説明するための図である。
図６には光吸収部近傍に入射する映像光Ｌ１０と、斜め上方向から入射する外光のうち正面寄りから入射する外光Ｌ１１、および、上方寄りから入射する外光Ｌ１２の経路がそれぞれ示されている。映像光Ｌ１０は前述のように光吸収部４０を通って光反射部５１へ到達するが、光吸収部４０はレンズ谷部３２で狭い範囲にのみ設けられているため、光線が減衰する程度は少ない。
一方、正面寄りから入射する外光Ｌ１１は、光吸収部４０とレンズシート本体部３０との境界に入射する。
このとき、光吸収部４０の屈折率がレンズシート本体部３０との屈折率よりも小さい場合について説明する。
この場合、臨界角よりも小さい角度でレンズシート本体部３０から光吸収部４０に入射する外光Ｌ１１は、光吸収部４０とレンズシート本体部３０との境界で全反射される。
その結果、外光Ｌ１１は、レンズ谷部３２の背面に設けられている非反射部５２に入射して吸収され、観察面側に射出する量は少ない。
上方寄りから入射する外光Ｌ１２は、臨界角より小さな入射角で光吸収部４０とレンズシート本体部３０の境界に入射し、光吸収部４０を通って光反射部５１へ到達するが、光吸収部４０を通過するので光束は吸収される。
以上のように、映像光については、極一部が光吸収部に入射して吸収されるものの、そのほとんどが光反射部５１で反射されてレンズ部３１から拡散射出される。
その一方、外光については、そのほとんどが非反射部５２か光吸収部で吸収されるため、外部に射出する量が極めて少なくなる。
その結果、本実施形態の反射型スクリーンは、コントラストに非常に優れる。
【００３７】
なお、本発明は上記実施形態にのみ限られるものではなく、本発明の趣旨の範囲内において変更できることはもちろんである。
本発明におけるレンズの断面形状が円または楕円である場合について説明したが、これ以外にも放物線、双曲線、多角形状などを採用でき、またこれらを複合させることで視野角を調整できる。
レンズの形状は上下非対称であっても良い。
近年は斜め下方から映像を投射する場合も多いことから、レンズ先端が下方にずれていてもよい。また、レンズ面には防眩機能、反射防止機能を付与してもよく、この場合、映像光がレンズ面で反射してまぶしくなることを防止できる。例えば１０Ｐａ秒以下の低粘度の着色インクに防眩用微粒子を混合し、レンズ面に塗布すると、毛細管現象でレンズ谷部近傍に着色層が形成される一方、レンズの頂部近傍には防眩用微粒子と極薄い着色層とからなる防眩層が形成されるため、工程が簡略化され、好ましい。
ベース部のさらに背面側に裏打ち層を設けても良い。難燃性および巻き取り収納した際のこすれによる表面傷付きが少ない点で例えば軟質塩化ビニル製シートが好ましい。
【００３８】
ベース部は、レンチキュラーレンズシート部の背面に設けられるものであり、膜状や層状であってもよく、強度が求められる部材である必要はない。
また、上記実施形態ではベース部を設けるにあたり、まず、レンチキュラーレンズシート部の背面に非反射部を設けて、その後、反射部となる金属蒸着膜を形成して一体的なベース部を構成する場合について説明したが、反射部についても一つ一つが分離して設けられていてもよく、その場合でも、レンチキュラーレンズシート部の背面に設けられた反射部および非反射部の全体でベース部とすることができる。
【００３９】
上記の説明において、図４（Ａ）（Ｂ）のように光吸収部４０の表面が平坦だったり（図４（Ａ））、表面側に膨出したような形状（図４（Ｂ））になっているとレンズ本来の効果が損なわれてしまうため好ましくないと説明したが、このような形態であっても光吸収の効果を奏するものであって本発明に含まれるものであり、本発明から除外する意ではない。
そしてまた、レンズ部の表面と光吸収部の表面とが必ずしも連続して一のレンズ面を構成していなくても、光吸収部がレンズの谷を形成する程度には凹んでいる場合も本発明に含まれる。
【図面の簡単な説明】
【００４０】
【図１】本発明に係る一実施形態において、反射型スクリーンの使用形態の一例を示す模式図。
【図２】前記実施形態において、反射型スクリーンの拡大断面図。
【図３】前記実施形態において、レンズシート本体部の拡大断面図。
【図４】前記実施形態において、望ましくない光吸収部の形状を示す図。
【図５】前記実施形態において、反射型スクリーンに入射する光束の経路を表した図。
【図６】前記実施形態において、光吸収部に関係する光束の経路を抜き出して詳細に説明するための図。
【図７】背景技術の説明において、金型をバイトで切削する様子を示す図。
【図８】背景技術の説明において、金型凹凸形状の凸部にバリが生じている状態を示す図。
【符号の説明】
【００４１】
１０…反射型スクリーン、２０…レンチキュラーレンズシート部、３０…レンズシート本体部、３１…レンズ部、３２…レンズ谷部、３３…凹溝条、３４…凸条、４０…光吸収部、４１…光吸収部の表面、５０…ベース部、５１…光反射部、５２…非反射部、６０…前面投射型表示装置、３１１…レンズ部の表面、３２１…レンズ谷部の底面、５１１…ベース本体。
【図１】
2009169007.tif 000003
【図２】
2009169007.tif 000004
【図３】
2009169007.tif 000005
【図４】
2009169007.tif 000006
【図５】
2009169007.tif 000007
【図６】
2009169007.tif 000008
【図７】
2009169007.tif 000009
【図８】
2009169007.tif 000010